(57)【特許請求の範囲】
【請求項１】
内部に流体の流通室を形成する弁ケースと、該弁ケースの内部を回転軸周りに回転する開口閉鎖部材とを有し、
該弁ケースには、該回転軸周りに第１の流入口，第１の流出口，第２の流入口，第２の流出口が９０度ごとの間隔で該回転軸から等距離位置に設けられているとともに、
前記開口閉鎖部材には、軸直角方向に突出した形状をなす一対の閉鎖部が前記回転軸から等距離位置に且つ回転方向に９０度隔たった位置に設けられており、
前記開口閉鎖部材の回転により、前記一対の閉鎖部が、該開口閉鎖部材の回転方向に隣接した１つの前記流入口と１つの前記流出口とをシール材を介して軸直角方向に押圧状態に閉鎖し、他の１つの流入口と他の１つの流出口とを前記流通室に開放し、該流通室を介して連通状態とするようになしてあることを特徴とする切替弁。
【請求項２】
請求項１において、前記第１の流体が水道水から成る原水であり、前記第２の流体が水道水を浄化した後の浄水であることを特徴とする切替弁。
【請求項３】
請求項２において、前記第１の流出口と前記第２の流出口との何れか一方が原水又は浄水をストレート吐水するための流出口であり、他方が該原水又は浄水をシャワー吐水するための流出口であることを特徴とする切替弁。
【請求項４】
請求項１〜３の何れかにおいて、前記２つの流入口と２つの流出口とは、前記弁ケースの内面の他部よりも前記回転軸に近い位置に設けてあることを特徴とする切替弁。
【請求項５】
請求項１〜４の何れかにおいて、前記開口閉鎖部材と前記弁ケースとの間には、全体がシール材で構成された若しくは外周部が部分的にシール材で構成された環状部材が位置移動可能に設けてあり、
前記開口閉鎖部材は偏心カムを成していて、該開口閉鎖部材が回転に伴って該環状部材を位置移動させ、前記シール材を前記一対の閉鎖部と前記１つの流入口及び１つの流出口との間に挟み込むようになしてあることを特徴とする切替弁。
【発明の詳細な説明】
【技術分野】
【０００１】
この発明は切替弁に関し、詳しくは２つの流入流路と２つの流出流路との間で流路の切替えを行うことのできる切替弁に関する。
【背景技術】
【０００２】
従来より、各種の切替弁が各種分野で用いられている。
例えば下記特許文献１に、この種の切替弁として、水道水から成る原水をストレート吐水からシャワー吐水に又はその逆に、更に水道水を浄化した後の浄水のストレート吐水に切り替える弁として水栓に内蔵された切替弁が開示されている。
【０００３】
図４及び図５はその具体例を示している。
図４において、２００はシリンダ弁から成る切替弁で、２０２は弁ケース、２０４は弁ケース２０２の内部に配置された弁体、２０６は弁ケース２０２の内部に形成された通水空間であり、２０８は水栓の吐水管に内蔵された浄化カートリッジである。
この浄化カートリッジ２０８は、原水流路２１０の原水を半径方向内側に通過させて原水を浄化する。
【０００４】
２１４は原水の流入流路で、原水流路２１０を流れて来た原水はストレーナ２１２を通過して原水の流入流路２１４へと到り、続いて弁ケース２０２内の通水空間２０６へと流入する。
２１６は浄水流路で、２１７，２１８はそれぞれ弁ケース２０２に設けられた浄水の流入流路及び流入口である。
【０００５】
図５において２２０，２２２は弁ケース２０２に設けられた流出口で、一方の流出口２２０からは原水又は浄水をストレート吐水させるための流出流路２２４が延び出しており、また他方の流出口２２２からは原水をシャワー吐水させるための流出流路２２６が延び出している。
【０００６】
ここで弁ケース２０２と弁体２０４との間は、流入口２１８，流出口２２０及び２２２周りにおいてシール材２２８により水密にシールされている。
弁体２０４には、くの字状に折れ曲った内部流路２３０が形成されている。２３２，２３４は、その内部流路２３０の両端の開口を表している。
【０００７】
この切替弁２００では、図５（Ａ）に示す状態で、図４の流入流路２１４に流入した原水を流入口２１５から通水空間２０６へと流入させ、更に弁体２０４の内部流路２３０を通じて弁ケース２０２の流出口２２０から流出流路２２４へと流出させ、原水をストレート吐水させる。
またこの状態から弁体２０４を図５中時計方向に回転させ、図５（Ｂ）に示すように開口２３４を別の流出口２２２に一致させた状態で、原水を流出口２２２から流出通路２２６へと流出させ、原水をシャワー吐水させる。
【０００８】
弁体２０４を更にこの状態から時計方向に回転させ、図５（Ｃ）に示すように弁体２０４の開口２３４を浄水の流入口２１８に一致させると、別の開口２３２が流出口２２０に一致し、この状態で浄水流路２１６からの浄水を、流入口２１８から弁体２０４の内部流路２３０へと流入させ、更に弁ケース２０２の流出開口２２０から流出流路２２４へと流出させて浄水をストレート吐水させる。
【０００９】
この切替弁２００は、流路を切り替えた状態及び切り替え途中の何れにおいても、原水流路２１０，浄水流路２１６を同時に閉鎖することはなく、少なくとも何れか一方を外部に開放状態とする。
従って原水流路２１０及び浄水流路２１６の同時閉鎖によって、切替弁２００と上流側の水栓の混合弁との間の部分で原水流路２１０，浄水流路２１６等に１次側の圧力が籠ってしまうといったことを防止することができる。
従って流路を形成するホースを耐圧ホースとしなくても良く、また切替弁２００の切替動作に伴ってウォーターハンマが発生してしまうといったことも防止できる利点を有している。
一方でこの切替弁２００の場合、原水ストレート吐水と原水シャワー吐水及び浄水ストレート吐水の３パターンしか流路の切替えができず、浄水のシャワー吐水を行うことができない問題を有している。
【００１０】
近時、浄水を用いて例えば皿洗いをしたいといった要望もあり、この場合、浄水を広い面積で吐水できるようにこれをシャワー吐水できるようにすることが望ましいが、図４及び図５の切替弁２００ではこれを実現することができない。
【００１１】
またこの切替弁２００にあっては、弁体２０４を回転させる際にシール材２２８による大きな摺動抵抗が生じ、このため弁体２０４を回転させる際のトルクが大となり、操作がその分重くなるとともに、弁体２０４の回転時に常にシール材２２８に対して弁体２０４が摺動運動するため、シール材２２８が摩耗し易い問題がある。
【００１２】
以上は水栓に内蔵されて原水ストレート吐水，原水シャワー吐水，浄水ストレート吐水の何れかに切り替える切替弁の場合であるが、浄水，原水を複数の吐水パターンに切り替える切替弁を含めて、２つの流入流路と２つの流出流路、即ち２つの流入口と２つの流出口との組合せを自在に変更可能で、しかも構造が簡単且つ安価な切替弁の開発が求められていた。
【００１３】
本発明に関連する先行技術として、下記特許文献２には切替弁についての考案が示され、そこにおいてステータ（弁ケース）の内周側壁に凹部を形成して、ロータ（弁体）の回転時にパッキン（シール材）がステータの内周側壁に圧接しないようにし、そのことによってロータの回転トルクを小さくし得、またシール材の摩耗を抑制するようになした点が開示されている。
【００１４】
但しこの特許文献２に開示のものは、弁体に設けたくの字状の内部流路を通じて弁ケースの流入口と流出口とを連通させるものである点で、また流入口が１つだけであり、２つの流入口と２つの流出口とを適宜組み合せて流路切替えをなすものでない点で本発明とは異なる。
【先行技術文献】
【特許文献】
【００１５】
【特許文献１】特開２００７−２７１０５１号公報
【特許文献２】実開平５−７９１４４号公報
【発明の概要】
【発明が解決しようとする課題】
【００１６】
本発明は以上のような事情を背景とし、単一の弁にて２つの流入流路と２つの流出流路との組合せを自在に変更でき、流路を４パターンに切替可能で、しかも１回の操作で且つ軽い操作で切替えを行うことができ、また２つの流入流路を同時閉鎖することによって上流側に圧力を籠らせたり、またウォーターハンマを発生させたりすることのない、構造が簡単で安価な切替弁を提供することを目的としてなされたものである。
【課題を解決するための手段】
【００１７】
而して請求項１のものは、内部に流体の流通室を形成する弁ケースと、該弁ケースの内部を回転軸周りに回転する開口閉鎖部材とを有し、該弁ケースには、該回転軸周りに第１の流入口，第１の流出口，第２の流入口，第２の流出口が９０度ごとの間隔で該回転軸から等距離位置に設けられているとともに、前記開口閉鎖部材には、軸直角方向に突出した形状をなす一対の閉鎖部が前記回転軸から等距離位置に且つ回転方向に９０度隔たった位置に設けられており、前記開口閉鎖部材の回転により、前記一対の閉鎖部が、該開口閉鎖部材の回転方向に隣接した１つの前記流入口と１つの前記流出口とをシール材を介して軸直角方向に押圧状態に閉鎖し、他の１つの流入口と他の１つの流出口とを前記流通室に開放し、該流通室を介して連通状態とするようになしてあることを特徴とする。
【００１８】
請求項２のものは、請求項１において、前記第１の流体が水道水から成る原水であり、前記第２の流体が水道水を浄化した後の浄水であることを特徴とする。
【００１９】
請求項３のものは、請求項２において、前記第１の流出口と前記第２の流出口との何れか一方が原水又は浄水をストレート吐水するための流出口であり、他方が該原水又は浄水をシャワー吐水するための流出口であることを特徴とする。
【００２０】
請求項４のものは、請求項１〜３の何れかにおいて、前記２つの流入口と２つの流出口とは、前記弁ケースの内面の他部よりも前記回転軸に近い位置に設けてあることを特徴とする。
【００２１】
請求項５のものは、請求項１〜４の何れかにおいて、前記開口閉鎖部材と前記弁ケースとの間には、全体がシール材で構成された若しくは外周部が部分的にシール材で構成された環状部材が位置移動可能に設けてあり、前記開口閉鎖部材は偏心カムを成していて、該開口閉鎖部材が回転に伴って該環状部材を位置移動させ、前記シール材を前記一対の閉鎖部と前記１つの流入口及び１つの流出口との間に挟み込むようになしてあることを特徴とする。
【発明の作用・効果】
【００２２】
以上のように本発明の切替弁は、内部に流体の流通室を形成する弁ケースと、その弁ケースの内部を回転軸周りに回転する開口閉鎖部材とを備えて構成したものである。
詳しくは、弁ケースには回転軸周りに第１の流入口，第１の流出口，第２の流入口，第２の流出口を９０度ごとの間隔で回転軸から等距離位置に設ける一方、開口閉鎖部材には、軸直角方向に突出した形状をなす一対の閉鎖部を、回転軸から等距離位置且つ回転方向に９０度隔たった位置に設け、そして開口閉鎖部材の回転により、一対の閉鎖部にて隣接した１つの流入口と１つの流出口とをシール材を介して軸直角方向に押圧状態に閉鎖し、他の１つの流入口と他の１つの流出口とを弁ケース内部の流通室に開放し、その流通室を介して連通状態とするようになしたものである。
【００２３】
本発明の切替弁では、開口閉鎖部材（以下単に閉鎖部材とする）を回転操作するだけで、即ち１回の操作で、２つの流入口即ちこれらに繋がる２つの流入流路と、２つの流出口即ちこれらに繋がる２つの流出流路との組合せを自在に変更でき、２つの流入流路と２つの流出流路との組合せによって４パターンで流路切替えをなすことができる。
【００２４】
本発明の切替弁はまた、１つの流入口と１つの流出口とを、弁体に設けた内部流路を通じて連通させ、そして互いに連通させるべき流入口，流出口の組合せを変えることで流路切替えをなすものではなく、閉鎖部材によって隣接する１つの流入口と流出口とを閉鎖し、またその閉鎖すべき流入口と流出口との組合せを変えることで流路切替えをなすもので、かかる本発明の切替弁では、閉鎖部材が流路切替状態にあるとき、及び流路切替えのために移動途中であるときの何れにおいても、２つの流入口又は／及び２つの流出口が同時に閉鎖されること、即ち２つの流入流路が同時に閉鎖されることがない特徴を有する。
【００２５】
本発明において、閉鎖部材が弁ケースとの間でシール材を軸直角方向に押圧するのは、２つの流入口，２つの流出口周りの部分のみでよく、これらを除いた他の部分においては、閉鎖部材が弁ケースとの間でシール材を押圧する必要はない。
従って閉鎖部材を回転させる際に、シール材から閉鎖部材に働く摺動抵抗を可及的に小さくすることができ、それ故本発明によれば切替弁を小さな力で軽く操作することが可能である。
本発明では、弁ケースとその内部に回転可能に設けた開口閉鎖部材とを備えることで切替弁を構成でき、流路を４つのパターンに切替可能な切替弁を構造簡素に且つ安価に構成することができる。
【００２６】
本発明は、上流側から流れて来る第１の流体と、これとは別種の第２の流体との間で流路切替えを行う切替弁に好適に適用することができる。
特に第１の流体が水道水から成る原水，第２の流体が水道水を浄化した後の浄水である場合、即ち上流側からの原水と浄水との間で流路切替えを行う切替弁に適用して好適である（請求項２）。
【００２７】
この場合において本発明の切替弁は、第１の流入口に繋がる流入流路と第２の流入口に繋がる流入流路との何れもが同時閉鎖されるといったことがないので、切替弁の切替動作によって上流側の原水流路，浄水流路に１次側の圧力が籠ったり、また切替弁の切替動作によってウォーターハンマが発生するのを防止することができる。
【００２８】
この請求項２において、上流側からの原水又は浄水を、第１の流出口即ち第１の流出口に繋がる流出流路，第２の流出口即ちこれに繋がる流出流路の何れからも選択して流出させることができる。
この場合において、第１の流出口と第２の流出口との何れか一方を原水又は浄水をストレート吐水するための流出口となし、また他方を原水又は浄水をシャワー吐水するための流出口となしておくことができる（請求項３）。
このようにすれば、原水，浄水のそれぞれについてストレート吐水，シャワー吐水することが可能となる。
【００２９】
本発明では、上記２つの流入口と２つの流出口とを、弁ケースの内面の他部よりも回転軸に近い位置に設けておくことができる（請求項４）。
このようにすれば、流入口と流出口との間の部分において閉鎖部材を抵抗少なく軽やかに回転させることができる。
【００３０】
本発明ではまた、閉鎖部材と弁ケースとの間に、全体がシール材で構成された若しくは外周部が部分的にシール材で構成された環状部材を位置移動可能に設けておき、そして閉鎖部材を偏心カムと成して、その閉鎖部材の回転に伴い環状部材を位置移動させ、シール材を一対の閉鎖部と上記１つの流入口及び１つの流出口との間に挟み込むようになすことができる（請求項５）。
ここで弁ケースの内面は正４角形状となしておき、各辺の中央位置に前記流入口，流出口を設けておくとともに、前記環状部材を弁ケースの内面よりも小形状の正４角形状となしておくことができる。
【図面の簡単な説明】
【００３１】
【図１】本発明の一実施形態の切替弁を示した図である。
【図２】図１の切替弁の作用説明図である。
【図３】本発明の他の実施形態の図である。
【図４】従来公知の切替弁を内蔵した水栓の要部を示した図である。
【図５】図４の切替弁の作用説明図である。
【発明を実施するための形態】
【００３２】
次に本発明を原水流路と浄水流路とを切り替えるための切替弁に適用した場合の実施形態を図面に基づいて詳しく説明する。
図１において、１０は切替弁で、この切替弁１０は弁ケース１２と、その内部に設けられた偏心カムから成る開口閉鎖部材（以下単に閉鎖部材とする）１４とを備えて構成されている。
１６は回転軸で、閉鎖部材１４はこの回転軸１６によって且つ回転軸１６周りに回転運動せしめられる。
ここで偏心カムから成る閉鎖部材１４は、図に示しているように回転軸１６の軸方向視において、幾何学的中心から偏心した位置で回転軸１６に組み付けられている。
【００３３】
弁ケース１２は、内部に水の流通室１８を形成しており、その内面形状は、回転軸１６の軸方向視（紙面と直角方向視）において正４角形状をなしており、各辺の中央位置に第１の流入口としての原水の流入口２０，第１の流出口としてのシャワー吐水用の流出口２２，第２の流入口としての浄水の流入口２４，第２の流出口としてのストレート吐水用の流出口２６が設けられている。
ここで原水の流入口２０，シャワー吐水用の流出口２２，浄水の流入口２４，ストレート吐水用の流出口２６は、それぞれ回転軸１６から等距離位置に位置しており、且つ弁ケース１２の内面の他部よりも回転軸１６に近い位置に位置している。
【００３４】
弁ケース１２には、また、原水の流入口２０，シャワー吐水用の流出口２２，浄水の流入口２４，ストレート吐水用の流出口２６にそれぞれ繋がる原水の流入流路２８，シャワー吐水用の流出流路３０，浄水の流入流路３２，ストレート吐水用の流出流路３４がそれぞれ設けられている。
【００３５】
偏心カムから成る閉鎖部材１４には、軸直角方向（回転軸１６の直角方向）に突出した形状をなす閉鎖部３６，３８が、回転軸１６から等距離位置に且つ回転方向に９０度隔たった位置に設けられている。
これら閉鎖部３６，３８は、その外面４０，４２が回転軸１６を中心とした円弧形状の面をなしている。
【００３６】
閉鎖部材１４は、これら閉鎖部３６と３８とを直接結ぶ面、詳しくは外面４０，４２の互いに同じ側の端を結ぶ面が傾斜面４４とされており、更に外面４０，４２の互いに反対側の端からは、後述の環状部材５０を押動する押動面４６，４８がストレート形状で且つ互いに直交する角度で延びている。
【００３７】
この実施形態において、閉鎖部材１４と弁ケース１２との間には、内面及び外面の形状がそれぞれ弁ケース１２の内面形状よりも小形状且つ正４角形状をなす環状部材５０が、回転軸１６の即ち閉鎖部材１４の回転に伴って位置移動可能に設けられている。
この実施形態において、環状部材５０は偏心カムから成る閉鎖部材１４に対する従動部材となるもので、図１中上下方向及び左右方向の移動を伴って、閉鎖部材１４の回転とともにその位置を変えて行く。
【００３８】
この実施形態において、環状部材５０はその全体が弾性材で、即ちシール材で構成されており、全体が弾性変形可能なものとされている。
但し環状部材５０のほぼ全体を弾性変形しない硬質の部材で構成しておき、外周部全体を部分的に弾性を有するシール材で構成すること、或いは原水の流入口２０，シャワー吐水用の流出口２２，浄水の流入口２４，ストレート吐水用の流出口２６を閉鎖する部分のみ、外周部を部分的に弾性を有するシール材にて構成しておくことも可能である。
【００３９】
次に本実施形態の切替弁１０の作用を説明する。
図１及び図２（Ａ）では、閉鎖部材１４の一対の閉鎖部３６，３８がそれぞれシャワー吐水用の流出口２２，浄水の流入口２４に対向して位置した状態にあり、このとき閉鎖部材１４は、閉鎖部３６が環状部材５０をシャワー吐水用の流出口２２に向けて軸直角方向に押圧して、その流出口２２を閉鎖した状態にあり、また今一方の閉鎖部３８が、環状部材５０を浄水の流入口２４に向けて軸直角方向に押圧し、流入口２４を閉鎖した状態にある。
【００４０】
一方、他の流入口である原水の流入口２０及び他のストレート吐水用の流出口２６は、流通室１８に向けて開放された状態にあり、それら流入口２０と流出口２６とが、即ちそれらに繋がる原水の流入流路２８及びストレート吐水用の流出流路３４が、流通室１８を介して互いに連通した状態にある。
従ってこの状態の下では、原水の流入流路２８からの原水が流入口２０から連通室１８へと流入し、更に流出口２６から流出流路３４へと流出して、原水がストレート吐水される。
【００４１】
次に、この状態から閉鎖部材１４を図中時計方向に回転させると、これに伴って環状部材５０が偏心カムから成る閉鎖部材１４の動きに従って図中上向きに移動し、そして閉鎖部材１４が丁度９０度回転したところで、図２（Ｂ）に示すように環状部材５０の図中上面と左面とが、弁ケース１２の内面の対応する上面と左面とに重なりあった状態となり、そしてその状態で閉鎖部材１４における一方の閉鎖部３６が、環状部材５０を介して浄水の流入口２４を閉鎖し、また他方の閉鎖部３８が、環状部材５０を介してストレート吐水用の流出口２６を閉鎖した状態となる。
【００４２】
このとき、他の原水の流入口２０と、シャワー吐水用の流出口２２とが流通室１８に開放され、それら流入口２０，流出口２２に繋がる原水の流入流路２８，シャワー吐水用の流出流路３０が、流通室１８を介して互いに連通状態となる。
従ってこの状態で原水が流入流路２８から流入口２０を経て流通室１８に流入し、更に流出口２２から流出流路３０へと流出して原水がシャワー吐水される。
【００４３】
次に閉鎖部材１４を更に時計方向に９０度回転させると、図２（Ｃ）に示しているように今度は環状部材５０が図中右方向に移動して、図中上面と右面とが、対応する弁ケース１２の内面の図中上面と右面とに重なり合った状態となり、そしてこの状態において閉鎖部材１４における閉鎖部３６が、環状部材５０を介してストレート吐水用の流出口２６を閉鎖し、また閉鎖部３８が、原水の流入口２０を同様にして閉鎖した状態となる。
このときには、浄水の流入口２４とシャワー吐水用の流出口２２とが流通室１８に開放され、浄水の流入流路３２とシャワー吐水用の流出流路３０とが、流通室１８を介して互いに連通した状態となる。
従ってこのときには、浄水が流通室１８を経て流出流路３０から流出し、浄水がシャワー吐水される。
【００４４】
更にこの状態から閉鎖部材１４を時計方向に９０度回転させると、今度は環状部材５０が図中下向きに移動して、図２（Ｄ）に示すように図中右面と下面とが、弁ケース１２における内面の対応する右面と下面とに重なり合った状態となり、そしてこのとき閉鎖部材１４の閉鎖部３６が、環状部材５０を介して原水の流入口２０を閉鎖し、また他方の閉鎖部３８が、環状部材５０を介してシャワー吐水用の流出口２２を閉鎖する。
このとき、浄水の流入口２４とストレート吐水用の流出口２０とが流通室１８に開放され、浄水の流入流路３２とストレート吐水用の流出流路３４とが流通室１８を介して互いに連通した状態となる。
このときには浄水が流入流路３２から流通室１８へと流入し、更に流出口２６から流出流路３４へと流出し、浄水がストレート吐水される。
【００４５】
以上の本実施形態の切替弁１０では、原水のストレート吐水，原水のシャワー吐水，浄水のストレート吐水を行うことができるのみならず、浄水のシャワー吐水も行うことができる。
しかも閉鎖部材１４を単に回転操作するだけで、即ち同じ切替弁１０を用いて１回の操作でそれら４つのパターンの吐水を切り替えることができる。
【００４６】
また本実施形態の切替弁１０は、閉鎖部材１４によって隣接する１つの流入口と１つの流出口とを閉鎖することで、他の１つの流入口と１つの流出口とを連通させ、そして閉鎖すべき流入口と流出口との組合せを変えることで、流路切替えをなすものであるため、本実施形態の切替弁１０では、閉鎖部材１４が流路切替状態にあるとき及び流路切替えのための移動途中であるときの何れにおいても、２つの流入口２０，２４及び２つの流出口２２，２６が同時に閉鎖されること、即ち原水の流入流路２８及び浄水の流入流路３２の両方とが同時に閉鎖されることがない。
【００４７】
従ってこの切替弁１０を、浄水機能を備えた水栓の切替弁として適用したとき、切替弁１０の切替動作によって、切替弁１０よりも上流側の原水流路，浄水流路に１次側の圧力が籠ったり、また切替弁１０の切替動作によってウォーターハンマが発生するのを防止することができる。
【００４８】
またこの実施形態の切替弁１０では、閉鎖部材１４が弁ケース１２との間で環状部材５０、即ちシール材を押圧するのは、２つの流入口２０，２４周り，２つの流出口２２，２６周りの部分だけでよく、これらを除いた他の部分においては閉鎖部材１４が弁ケース１２との間でシール材を押圧することがないため、閉鎖部材１４を回転させる際にシール材から閉鎖部材１４に働く摺動抵抗を可及的に小さくすることができ、それ故この実施形態によれば、切替弁１０を小さな力で軽く操作することが可能である。
加えて切替弁１０の切替動作によるシール材の摩耗を可及的に小さく抑制することができる。
【００４９】
以上は閉鎖部材１４の閉鎖部３８，４０の回転移動に伴って環状部材５０を従動して移動させ、かかる環状部材５０のシール材を介して２つの流入口２０，２４及び２つの流出口２２，２６を閉鎖する場合の例であるが、図３（Ａ）に示しているように閉鎖部材１４を図１のものと同形状に保ちつつ、閉鎖部３６，３８にシール材５２を固定状態に設けておき、これらシール材５２を軸直角方向に押圧することで流入口２０，２４及び流出口２２，２６のそれぞれを閉鎖するようになすことも可能である。
【００５０】
或いは逆に、図３（Ｂ）に示しているように弁ケース１２側において流入口２０，２４及び流出口２２，２６のそれぞれの周りにシール材５４を設けておき、かかるシール材５４を介して流入口２０，２４及び流出口２２，２６のそれぞれを閉鎖部材１４にて閉鎖するようになすことも可能である。
【００５１】
また上例では弁ケース１２の内面形状を正４角形状とし、環状部材５０を同じく正４角形状としているが、環状部材５０の全体を弾性材で即ちシール材で構成する場合において、弁ケース１２の内面形状，環状部材５０の形状を上例の正４角形状以外の他の様々な形状で構成することも可能である。
環状部材５０を弾性変形させながら流入口２０，２４、流出口２２，２６に押し付けてそれらを閉鎖する場合には、環状部材５０を様々な形状で構成することができる。
また対応する弁ケース１２の内面形状も、同様に様々な形状となしておくことが可能である。
【００５２】
以上本発明の実施形態を詳述したがこれはあくまで一例示である。
例えば上例では原水のストレート吐水とシャワー吐水及び浄水のストレート吐水とシャワー吐水との間で流路を切り替えるようになしているが、本発明はこれら原水と浄水との切替えではなく、例えば湯と水の切替え或いは混合水と水との切替え、その他様々な組合せの流体の流路切替えのための切替弁に適用することが可能である。
【００５３】
また流出流路としてシャワー吐水用の流出流路とストレート吐水用の流出流路とを例示しているが、このように吐水形態を異ならせるために流路切替えを行う場合のみならず、単に流体の流れの方向を変えるための切替弁として本発明を適用するといったことも可能である。
更に上記実施形態では閉鎖部材１４の２つの閉鎖部３６，３８を除いた部分の形状を傾斜形状及びストレート形状となしているが、閉鎖部３６，３８を除いた部分の形状は、弁ケース１２の流入口２０，２４及び流出口２２，２６に接触しない形状であれば良く、上例以外の種々形状となしておくことが可能であり、更に閉鎖部材１４自体の全体形状も様々に変更することが可能である等、本発明はその趣旨を逸脱しない範囲において種々変更を加えた形態で構成可能である。
【符号の説明】
【００５４】
１０  切替弁
１２  弁ケース
１４  開口閉鎖部材
１６  回転軸
１８  流通室
２０  原水の流入口（第１の流入口）
２２  シャワー吐水用の流出口（第１の流出口）
２４  浄水の流入口（第２の流入口）
２６  ストレート吐水用の流出口（第２の流出口）
３６，３８  閉鎖部
５０  環状部材
５２，５４  シール材
【図１】
0005621126.tif 000002
【図２】
0005621126.tif 000003
【図３】
0005621126.tif 000004
【図４】
0005621126.tif 000005
【図５】
0005621126.tif 000006